(57)【要約】【課題】  支柱の伸縮状態にかかわらず高い意匠性を保つことができる支持台を提供する。【解決手段】  本発明に係るテレビ台１０は、ベース２０と、ベース２０に立設される支柱３０，３０と、支柱３０，３０を覆う飾り板４０と、支柱３０，３０の上部に設けられてテレビＴを支持する支持金具５０とを備え、支柱３０，３０は、ベース２０に立設される下部支柱３１，３１に対して支持金具５０が設けられる上部支柱３２，３２がスライドすることにより伸縮可能に形成され、飾り板４０は、下部支柱３１，３１に取り付けられる下部飾り板７０に対して上部支柱３２，３２に取り付けられる上部飾り板８０がスライドすることにより伸縮可能に形成されている。【選択図】  図２
2020044575.tif 000002
【特許請求の範囲】
【請求項１】
ベースと、前記ベースに立設される支柱と、前記支柱の上部に設けられて被支持物を支持する支持部と、前記支柱を覆う飾り板とを備え、
前記支柱は、前記ベースに立設される下部支柱及び前記支持部が設けられる上部支柱を備え、前記下部支柱に対して前記上部支柱がスライドすることにより伸縮可能に形成され、
前記飾り板は、前記下部支柱に取り付けられる下部飾り板及び前記上部支柱に取り付けられる上部飾り板を備え、前記下部飾り板に対して前記上部飾り板がスライドすることにより伸縮可能に形成されていることを特徴とする支持台。
【請求項２】
前記上部飾り板の少なくとも一部は、前記上部飾り板の裏面が前記下部飾り板の表面に対向するように、前記下部飾り板に重畳し、
前記下部飾り板の表面に、前記上部飾り板の裏面との間隙を確保するスペーサーが設けられていることを特徴とする請求項１に記載の支持台。
【請求項３】
前記下部飾り板は、前記下部支柱を正面側から覆う下部正面板と、前記下部正面板の両側縁から背面側に延在して前記下部支柱を側面側から覆う一対の下部側面板と、前記一対の下部側面板の後縁から内側に延在して前記下部支柱を背面側から覆う一対の下部背面板とを備え、
前記上部飾り板は、前記下部正面板に重畳する上部正面板と、前記上部正面板の両側縁から背面側に延在して前記一対の下部側面板に重畳する一対の上部側面板と、前記一対の上部側面板の後縁から内側に延在して前記一対の下部背面板に重畳する一対の上部背面板とを備えることを特徴とする請求項１又は請求項２に記載の支持台。
【請求項４】
前記下部飾り板は、高さ方向の複数箇所で前記下部支柱に取り付けられ、
前記上部飾り板は、高さ方向の一箇所で前記上部支柱に取り付けられていることを特徴とする請求項３に記載の支持台。
【請求項５】
前記上部飾り板の前記上部支柱への取付けに用いられる取付具を備え、
前記取付具は、前記上部飾り板が上方から係止される被係止部と、前記被係止部と一体に設けられ、前記係止部よりも上方で前記上部支柱に固着される固着部とを備えることを特徴とする請求項４に記載の支持台。
【請求項６】
前記被支持物は、テレビ又はクリーナーであることを特徴とする請求項１乃至請求項５のいずれか１項に記載の支持台。
【発明の詳細な説明】
【技術分野】
【０００１】
本発明は、ベースに立設された支柱の上部に設けられた支持部によりテレビ等の被支持物を支持し、支柱を覆う飾り板が設けられたテレビ台等の支持台に関する。
【背景技術】
【０００２】
ベースに立設された支柱の上部に設けられた支持部により被支持物を支持し、支柱を覆う飾り板が設けられた支持台として、例えば特許文献１に記載のテレビ台がある。【０００３】
図２９に示すように、同特許文献に記載のテレビ台１００は、平板状のベース１１０と、ベース１１０に立設された支柱１２０，１２０と、支柱１２０，１２０の上部に設けられるとともにテレビＴが取り付けられ、テレビＴを支持する支持部１３０と、支柱１２０，１２０を正面側から覆う飾り板１４０とを備える。【０００４】
支柱１２０，１２０は、図３０に示すように、ベース１１０に立設された下部支柱１２１，１２１と、下部支柱１２１，１２１に嵌入されて上下方向にスライド可能な上部支柱１２２，１２２とにより概略構成され、上部支柱１２２，１２２の下部支柱１２１，１２１に対するスライドにより、支柱１２０，１２０が伸縮して支持部１３０の高さが変更され、テレビＴの高さ位置が調整可能となっている。【０００５】
飾り板１４０は、その背面側に形成された図示を略す係止部が、下部支柱１２１，１２１の間に架設された係止片１５０の上縁に上方から係止されることにより、下部支柱１２１，１２１に取り付けられて支柱１２０，１２０を部分的に被覆し、テレビＴの配線等が下部支柱１２１，１２１の間で垂下する場合には、その配線等も覆い隠す。
【先行技術文献】
【特許文献】
【０００６】
【特許文献１】実用新案登録第３２０２１４０号公報
【発明の概要】
【発明が解決しようとする課題】
【０００７】
ところで、テレビ台１００において、上部支柱１２２，１２２を上方向にスライドさせて支柱１２０，１２０を伸長させると、図３１に示すように、上部支柱１２２，１２２が飾り板１４０の上方に露出するとともに、上部支柱１２０，１２０間で垂下するテレビＴの配線等も露出し、美観が損なわれて飾り板１４０によるテレビ台１００の意匠性の向上が限定的になるという問題があった。【０００８】
本発明は、上記の事情に鑑みてなされたもので、支柱の伸縮状態にかかわらず高い意匠性を保つことができる支持台を提供することを課題としている。
【課題を解決するための手段】
【０００９】
上記課題を解決するため、本発明に係る支持台は、ベースと、前記ベースに立設される支柱と、前記支柱の上部に設けられて被支持物を支持する支持部と、前記支柱を覆う飾り板とを備え、前記支柱は、前記ベースに立設される下部支柱及び前記支持部が設けられる上部支柱を備え、前記下部支柱に対して前記上部支柱がスライドすることにより伸縮可能に形成され、前記飾り板は、前記下部支柱に取り付けられる下部飾り板及び前記上部支柱に取り付けられる上部飾り板を備え、前記下部飾り板に対して前記上部飾り板がスライドすることにより伸縮可能に形成されていることを特徴とする。【００１０】
この支持台によれば、飾り板が、下部支柱に取り付けられる下部飾り板及び上部支柱に取り付けられる上部飾り板を備え、下部飾り板に対して上部飾り板がスライドすることにより伸縮可能に形成されているので、下部支柱に対して上部支柱がスライドする際に、上部飾り板を上部支柱に追従させてスライドさせることができる。これにより、支柱の伸長時に上部支柱が飾り板の上方に突出して露出し、美観が損なわれることが防止され、支柱の伸縮状態にかかわらず支持台の高い意匠性を保つことができる。【００１１】
また、前記上部飾り板の少なくとも一部は、前記上部飾り板の裏面が前記下部飾り板の表面に対向するように、前記下部飾り板に重畳し、前記下部飾り板の表面に、前記上部飾り板の裏面との間隙を確保するスペーサーが設けられていてもよい。【００１２】
このスペーサーにより、下部飾り板と上部飾り板との間に間隙が確保されるので、下部飾り板に対して上部飾り板がスライドする際に両者の擦れにより生じる擦過痕を防止することができる。仮に、飾り板のスペーサーと擦れる部分に擦過痕が生じるとしても、スペーサーは下部飾り板の表面に設けられ、スペーサーと擦れるのは上部飾り板の裏面であるので、そこに擦過痕が生じても、それが外観上表れず、飾り板の美観が維持される。【００１３】
さらに、前記下部飾り板は、前記下部支柱を正面側から覆う下部正面板と、前記下部正面板の両側縁から背面側に延在して前記下部支柱を側面側から覆う一対の下部側面板と、前記一対の下部側面板の後縁から内側に延在して前記下部支柱を背面側から覆う一対の下部背面板とを備え、前記上部飾り板は、前記下部正面板に重畳する上部正面板と、前記上部正面板の両側縁から背面側に延在して前記一対の下部側面板に重畳する一対の上部側面板と、前記一対の上部側面板の後縁から内側に延在して前記一対の下部背面板に重畳する一対の上部背面板とを備えていてもよく、前記下部飾り板は、高さ方向の複数箇所で前記下部支柱に取り付けられ、前記上部飾り板は、高さ方向の一箇所で前記上部支柱に取り付けられていてもよい。【００１４】
このように上部飾り板の上部正面板、一対の上部側面板、一対の上部背面板がそれぞれ下部飾り板の下部正面板、一対の下部側面板、一対の下部背面板に重畳することにより、上部飾り板は下部飾り板に四方（正面側、側面側及び背面側）で重畳するので、下部飾り板に対してがたつきが抑制されつつ安定してスライドする。【００１５】
そして、下部飾り板が高さ方向の複数箇所で下部支柱に安定的に取り付けられれば、上部飾り板は、上記のとおり、下部飾り板に対してがたつきが抑制されているので、高さ方向の一箇所だけで上部支柱に取り付けられたとしても、（下部飾り板が安定的に取り付けられた）支柱から離反してがたつくことが防止される。一方、上部飾り板の上部支柱への取付けが高さ方向の一箇所にとどまれば、上部支柱のスライド構造の設計の自由度を高めることができる。【００１６】
前記上部飾り板の前記上部支柱への取付けには、前記上部飾り板が上方から係止される被係止部と、前記被係止部と一体に設けられ、前記被係止部よりも上方で前記上部支柱に固着される固着部とを備える取付具が用いられてもよい。【００１７】
一般に、固着部が支柱に固着されて被係止部に飾り板が上方から係止される取付具では、飾り板の取外しに際して飾り板の上方に取外しスペースが必要となる一方（支持部との距離が近すぎると、支持部が飾り板の取外しを阻害する。）、下部支柱に対してスライドする上部支柱に取付具の固着部を固着させると、上部支柱は固着部が下部支柱と干渉する位置までしか下方向にスライドしないから、係止片１５０のように固着部（係止片１５０の左右端部）と被係止部（左右の固着部の間の部分）の高さが同一であると、その干渉する位置に、被係止部の高さ寸法と、飾り板の被係止部よりも上方に突出する分の長さと、取外しスペースの高さとを加えた高さまでしか支持部の高さ位置を下げることができない。しかし、上記取付具では、固着部が被係止部よりも上方に設けられているので、被係止部が固着部よりも下方に位置する分だけ支持部の高さ位置をさらに下げることができ、支持部の高さ位置の調整幅（ストローク量）を増大させることができる。
【発明の効果】
【００１８】
本発明によれば、支柱の伸縮状態にかかわらず支持台の高い意匠性を保つことができる。
【図面の簡単な説明】
【００１９】
【図１】本発明の実施の形態に係るテレビ台を正面側から示す説明図である。
【図２】図１のテレビ台を背面側から示す説明図である。
【図３】図１のテレビ台のベースを示す説明図である。
【図４】図３のベースの底面を示す説明図である。
【図５】図１のテレビ台の支柱を正面側から示す説明図である。
【図６】図１のテレビ台の支柱を背面側から示す説明図である。
【図７】（ａ）は図１のテレビ台の飾り板を示す説明図、（ｂ）は（ａ）のVII−VII線に沿った断面図である。
【図８】（ａ）は図７の飾り板の下部飾り板を正面側から示す説明図、（ｂ）は背面側から示す説明図である。
【図９】（ａ）は図７の飾り板の上部飾り板を正面側から示す説明図、（ｂ）は背面側から示す説明図である。
【図１０】図１のテレビ台の支持金具を示す説明図である。
【図１１】（ａ）は図１０の支持金具の一方の取付金具を正面側から示す説明図、（ｂ）は背面側から示す説明図である。
【図１２】（ａ）は図１０の支持金具の他方の取付金具を正面側から示す説明図、（ｂ）は背面側から示す説明図である。
【図１３】図１０の支持金具のストッパー金具を示す説明図である。
【図１４】（ａ）は図１２の取付金具のフック部の前方のスリットが被係止部に係止されてストッパー金具がネジ止めされた状態を示す説明図、（ｂ）はそのフック部の中央のスリットが被係止部に係止されてストッパー金具がネジ止めされた状態を示す説明図、（ｃ）はそのフック部の後方のスリットが被係止部に係止されてストッパー金具がネジ止めされた状態を示す説明図である。
【図１５】（ａ）は図１のテレビ台のホルダーを正面側から示す説明図、（ｂ）は背面側から示す説明図である。
【図１６】図１５のホルダーが取付片でフレームに取り付けられた状態を示す説明図である。
【図１７】図１５のホルダーが係止部でフレームに取り付けられた状態を示す説明図である。
【図１８】図１のテレビ台の支柱が縮んだ状態を示す説明図である。
【図１９】図１のテレビ台の支柱が伸びた状態を示す説明図である。
【図２０】本発明の実施の形態に係るクリーナースタンドを正面側から示す説明図である。
【図２１】図２０のクリーナースタンドを背面側から示す説明図である。
【図２２】図２０のクリーナースタンドのベース、下部支柱及び下部飾り板を背面側から示す説明図である。
【図２３】図２０のクリーナースタンドの支柱が最も伸びた状態を正面側から示す説明図である。
【図２４】図２０のクリーナースタンドの支柱が最も伸びた状態を背面側から示す説明図である。
【図２５】図２０のクリーナースタンドの支柱が最も縮んだ状態を正面側から示す説明図である。
【図２６】図２０のクリーナースタンドの支柱が最も縮んだ状態を背面側から示す説明図である。
【図２７】図２０のクリーナースタンドの支柱に保持部が取り付けられた状態を背面側から示す説明図である。
【図２８】図２０のクリーナースタンドの上部支柱及び上部飾り板を底面側から示す説明図である。
【図２９】従来のテレビ台を示す説明図である。
【図３０】図２９のテレビ台の支柱及び飾り板を示す説明図である。
【図３１】図２９のテレビ台の支柱が伸びた状態を示す説明図である。
【発明を実施するための形態】
【００２０】
本発明の実施の形態について、図面に基づいて説明する。
【００２１】
［実施の形態１］
図１及び図２に示すように、本実施の形態に係るテレビ台１０は、床面Ｆに設置されるベース２０と、ベース２０に立設された支柱３０，３０と、支柱３０，３０を正面側から覆う飾り板４０と、支柱３０，３０の上部に設けられてテレビＴを支持する支持金具５０と、支持金具５０に取り付けられて録画用のハードディスクドライブ等の電子機器を保持するホルダー６０とを備える。
【００２２】
ベース２０は、平面視矩形状を呈し、図３に示すように、水平部２１と、水平部２１から前方に拡がり延在する傾斜部２２と、水平部２１から左方に拡がり延在する傾斜部２３と、水平部２１から右方に拡がり延在する傾斜部２４とを備える。
【００２３】
水平部２１は、平面視矩形状を呈し、床面Ｆから所定の高さに角柱状の突起部２５，２５を有する。傾斜部２２は、平面視台形状を呈し、前縁２２ａが床面Ｆとほぼ段差のない高さになるまで後縁２２ｂ（後縁２２ｂは、水平部２１の前縁と共通する。）から前方に向かって低くなるように傾斜している。傾斜部２３は、平面視台形状を呈し、外縁２３ａが床面Ｆとほぼ段差のない高さになるまで内縁２３ｂ（内縁２３ｂは、水平部２１の側縁と共通する。）から左方に向かって低くなるように傾斜し、傾斜部２４は、平面視台形状を呈し、外縁２４ａが床面Ｆとほぼ段差のない高さになるまで内縁２４ｂ（内縁２４ｂは、水平部２１の側縁と共通する。）から右方に向かって低くなるように傾斜している。前縁２２ａ、外縁２３ａ及び外縁２４ａはベース２０の縁部２０ａを構成し、床面Ｆに接する。
【００２４】
水平部２１、傾斜部２２、傾斜部２３及び傾斜部２４は、金属板の曲げ加工により形成され、傾斜部２２及び傾斜部２３は稜線２６により区画され、傾斜部２２及び傾斜部２４は稜線２７により区画されている。
【００２５】
ベース２０の背面側には、背板部２８が設けられ、ベース２０の底面側には、図４に示すように、水平部２１を貫通する突起部２５，２５の下部２５ａ，２５ａと、ベース２０を補強する梁部材２９ａ〜２９ｇとが設けられている。
【００２６】
梁部材２９ａは、水平部２１、傾斜部２３及び傾斜部２４の裏面で下部２５ａ，２５ａと背板部２８との間に設けられ、水平部２１、傾斜部２３及び傾斜部２４を補強している。
【００２７】
梁部材２９ｂ，２９ｂは、梁部材２９ａから前縁２２ａまでの距離の２分の１以上に亘って梁部材２９ａから前方に延在するように、水平部２１及び傾斜部２２の裏面に設けられ、水平部２１及び傾斜部２２を補強している。梁部材２９ｂ，２９ｂは、突起部２５，２５の下部２５ａ，２５ａの内面２５ｂ，２５ｂに接し、内面２５ｂ，２５ｂと溶接されていてもよい。
【００２８】
梁部材２９ｃ，２９ｃは、梁部材２９ａから前縁２２ａまでの距離の２分の１以上に亘って梁部材２９ａから前方に延在するように、水平部２１及び傾斜部２２の裏面に設けられ、水平部２１及び傾斜部２２を補強している。梁部材２９ｃ，２９ｃは、突起部２５，２５の下部２５ａ，２５ａの外面２５ｃ，２５ｃに接し、外面２５ｃ，２５ｃと溶接されていてもよい。
【００２９】
梁部材２９ｄは、稜線２６の長さの２分の１以上に亘って梁部材２９ｃ，２９ｃの一方（左側の梁部材２９ｃ）から延在するように、傾斜部２２の裏面に稜線２６に沿って設けられ、傾斜部２２を補強している。
【００３０】
梁部材２９ｅは、稜線２７の長さの２分の１以上に亘って梁部材２９ｃ，２９ｃの他方（右側の梁部材２９ｃ）から延在するように、傾斜部２２の裏面に稜線２７に沿って設けられ、傾斜部２２を補強している。
【００３１】
梁部材２９ｆは、梁部材２９ｃ，２９ｃの一方（左側の梁部材２９ｃ）から延びて梁部材２９ａと梁部材２９ｄとの中間に位置するように、傾斜部２３の裏面に設けられ、傾斜部２３を補強している。
【００３２】
梁部材２９ｇは、梁部材２９ｃ，２９ｃの他方（右側の梁部材２９ｃ）から延びて梁部材２９ａと梁部材２９ｅとの中間に位置するように、傾斜部２４の裏面に設けられ、傾斜部２４を補強している。
【００３３】
支柱３０，３０は、図５及び図６に示すように、突起部２５，２５が嵌入されてベース２０に立設される角筒状の下部支柱３１，３１と、下部支柱３１，３１の筒内に上方から嵌入され、下部支柱３１，３１に対して上下方向にスライドする上部支柱３２，３２とを備える。上部支柱３２，３２の下部支柱３１，３１に対するスライドにより、支柱３０，３０は伸縮可能となっている。
【００３４】
下部支柱３１の背面３１ａには、高さ方向に複数の挿通孔３１ｂが設けられ、上部支柱３２の背面３２ａには、高さ方向に複数のネジ孔（周面にネジが形成された孔）３２ｂが設けられている。挿通孔３１ｂとネジ孔３２ｂとを重ね合わせ、座金３３及び挿通孔３１ｂにネジ３４を挿通させ、このネジ３４をネジ孔３２ｂに螺合させることにより、上部支柱３２は下部支柱３１に対して位置決め固定される。
【００３５】
上部支柱３２の正面３２ｃには、ネジ孔３２ｄ及びネジ孔３２ｅが上下に設けられ、下部支柱３１，３１の間には、板状の桟３５及び桟３６と、角柱状の桟３７とが下から上に順に架設され、上部支柱３２，３２の間には、桟３８が架設されている。
【００３６】
桟３５は、下部支柱３１，３１の内面３１ｃ，３１ｃに固着される固着部３５ａ，３５ａと、固着部３５ａ，３５ａを連結する連結部３５ｂとを有し、連結部３５ｂの上縁には、スリット３５ｃ，３５ｃが形成されている。同様に、桟３６は、下部支柱３１，３１の内面３１ｃ，３１ｃに固着される固着部３６ａ，３６ａと、固着部３６ａ，３６ａを連結する連結部３６ｂとを有し、連結部３６ｂの上縁には、スリット３６ｃ，３６ｃが形成されている。
【００３７】
桟３８は、上部支柱３２，３２の背面３２ａ，３２ａに固着される固着部３８ａ，３８ａと、固着部３８ａ，３８ａの内縁に連続して上部支柱３２，３２の内面３２ｅ，３２ｅに当接し、下方に延在する当接部３８ｂ，３８ｂと、当接部３８ｂ，３８ｂの下部前縁を連結する連結部３８ｃとを有し、連結部３８ｃの上縁には、スリット３８ｄ，３８ｄが形成されている。
【００３８】
固着部３８ａには、挿通孔３８ｅが形成され、挿通孔３８ｅとネジ孔３２ｂとを重ね合わせ、座金３３及び挿通孔３８ｅにネジ３４を挿通させ、このネジ３４をネジ孔３２ｂに螺合させることにより、固着部３８ａは背面３２ａに固着される。
【００３９】
飾り板４０は、図７乃至図９に示すように、下部飾り板７０と、上部飾り板８０とを備える。
【００４０】
下部飾り板７０は、下部支柱３１，３１の正面３１ｄ，３１ｄを覆う矩形状の下部正面板７１と、下部正面板７１の両側縁から背面側に延在して下部支柱３１，３１の外面３１ｅ，３１ｅを覆う下部側面板７２，７２と、下部側面板７２，７２の後縁から内側に延在して下部支柱３１，３１の背面３１ａ，３１ａを覆う一対の下部背面板７３，７３とを備える。
【００４１】
下部正面板７１の表面７１ａには、適宜の意匠が施され、その上部には、スペーサー９０が貼着されている。下部正面板７１の裏面７１ｂには、下部に係止部７４，７４、上部に係止部７５，７５が設けられるとともに、下部飾り板７０を補剛するリブ７６，７６と、リブ７６，７６を連結するリブ７７及びリブ７８とが設けられている。これらのリブの形状は、適宜変更されてもよく、下部正面板７１の剛性が確保されるのであれば、リブを設けなくてもかまわない。
【００４２】
上部飾り板８０は、下部正面板７１より上下方向に長く下部正面板７１に重畳する矩形状の上部正面板８１と、上部正面板８１の両側縁から背面側に延在して下部側面板７２，７２に重畳する上部側面板８２，８２と、上部側面板８２，８２の後縁から内側に延在して下部背面板７３，７３に重畳する一対の上部背面板８３，８３とを備える。
【００４３】
上部正面板８１の表面８１ａには、適宜の意匠が施され、上部正面板８１の裏面８１ｂには、上部に係止部８４，８４が設けられるとともに、上部飾り板８０を補剛するリブ８５，８５と、リブ８５，８５を連結するリブ８６、リブ８７及びリブ８８とが設けられている。これらのリブの形状は、適宜変更されてもよく、上部正面板８１の剛性が確保されるのであれば、リブを設けなくてもかまわない。
【００４４】
飾り板４０は、下部正面板７１の表面７１ａがスペーサー９０を介して上部正面板８１の裏面８１ｂに対向するように、かつ、下部側面板７２及び下部背面板７３が間隙を介して上部側面板８２及び上部背面板８３と対向するように、下部飾り板７０及び上部飾り板８０が重なり合った状態で、下部飾り板７０に対して上部飾り板８０がスライドすることによって、伸縮可能となっている。
【００４５】
そして、係止部７４，７４が桟３５のスリット３５ｃ，３５ｃに上方から係止され、係止部７５，７５が桟３６のスリット３６ｃ，３６ｃに上方から係止されることによって、下部飾り板７０が下部支柱３１，３１に取り付けられ、係止部８４，８４が桟３８のスリット３８ｄ，３８ｄに上方から係止されることによって、上部飾り板８０が上部支柱３２，３２に取り付けられる。上部支柱３２，３２に取り付けられた上部飾り板８０の上縁８０ａの高さは、支持金具５０に取り付けられるテレビＴの下縁Ｔａ（図１８及び図１９参照）の高さと同じか所定値ｈだけ上回り、上部支柱３２，３２は上部飾り板８０及びテレビＴに隠れて正面側から見えなくなっている。
【００４６】
支持金具５０は、図１０に示すように、支柱３０，３０に取り付けられるフレーム５１と、フレーム５１に係止されてテレビＴが取り付けられる取付金具５２及び取付金具５３と、取付金具５２及び取付金具５３のフレーム５１からの脱落を防止するストッパー金具５４，５４とを備える。
【００４７】
フレーム５１は、支柱１２０，１２０に取り付けられた際に幅方向（左右方向）に延在して取付金具５２及び取付金具５３が係止される被係止金具５５と、被係止金具５５の下方で幅方向に延在して取付金具５２及び取付金具５３が係止される被係止金具５６と、高さ方向（上下方向）に延在して被係止金具５５及び被係止金具５６を連結する連結金具５７，５７とを有する。
【００４８】
被係止金具５５は、金属板が側面視クランク状に折り曲げられてなり、取付金具５２及び取付金具５３が係止される被係止部５５ａと、連結金具５７，５７により連結される被連結部５５ｂと、被係止部５５ａ及び被連結部５５ｂの中間に介在する中間部５５ｃとを有する。被係止部５５ａの上縁には、幅方向の中心位置を基準に左右対称の位置に複数のスリット５５ｄが設けられ、被連結部５５ｂには、幅方向の中心位置にネジ孔５５ｅが、また、ネジ孔５５ｅを基準に左右対称の位置に挿通孔５５ｆ，５５ｆが設けられている。ネジ孔５５ｅは、フレーム５１を壁等に連結してテレビ台１０の転倒を防止するワイヤーの取付けに供するが、ここでは、後述のように、ホルダー６０のネジ止めにも用いられる。
【００４９】
被係止金具５６は、金属板が側面視クランク状に折り曲げられてなり、取付金具５２及び取付金具５３が係止される被係止部５６ａと、連結金具５７，５７により連結される被連結部５６ｂと、被係止部５６ａ及び被連結部５６ｂの中間に介在する中間部５６ｃとを有する。被連結部５６ｂには、幅方向の中心位置を基準に左右対称の位置に挿通孔５６ｄ，５６ｄが設けられている。
【００５０】
連結金具５７，５７は、挿通孔５５ｆ，５５ｆ及び挿通孔５６ｄ，５６ｄの位置で被連結部５５ｂ及び被連結部５６ｂに固着され、被係止金具５５及び被係止金具５６を連結している。
【００５１】
フレーム５１は、挿通孔５５ｆとネジ孔３２ｄとを重ね合わせ、座金３３及び挿通孔５５ｆにネジ３４を挿通させ、このネジ３４をネジ孔３２ｄに螺合させることにより、かつ、挿通孔５６ｄとネジ孔３２ｅとを重ね合わせ、座金３３及び挿通孔５６ｄにネジ３４を挿通させ、このネジ３４をネジ孔３２ｅに螺合させることにより、支柱３０，３０の上部支柱３２，３２に固定される。
【００５２】
取付金具５２は、図１１に示すように、金属板が折り曲げられてなり、テレビＴの背面に当接する当接面部５２ａと、フレーム５１に係止されるフック部５２ｂ及びフック部５２ｃが上下に形成された係止面部５２ｄとを備える。
【００５３】
当接面部５２ａには、角孔５２ｅと、複数の丸孔５２ｆと、長孔５２ｇと、長孔５２ｈとが設けられている。フック部５２ｂの下縁５２ｉは、後方に向かって高くなるように傾斜し、その下縁５２ｉには、スリット５２ｊ、スリット５２ｋ及びスリット５２ｌが前方から順に設けられている。同様に、フック部５２ｃの下縁５２ｍは、後方に向かって高くなるように傾斜し、その下縁５２ｍには、スリット５２ｎ、スリット５２ｏ及びスリット５２ｐが前方から順に設けられている。また、フック部５２ｂには、２つのネジ孔５２ｑが形成されている。
【００５４】
取付金具５３は、金属板が折り曲げられて取付金具５２と略対称な形状を呈し、図１２に示すように、テレビＴの背面に当接する当接面部５３ａと、フレーム５１に係止されるフック部５３ｂ及びフック部５３ｃが上下に形成された係止面部５３ｄとを備える。
【００５５】
当接面部５３ａには、丸孔５３ｅと、複数の丸孔５３ｆと、長孔５３ｇと、長孔５３ｈとが設けられている。フック部５３ｂの下縁５３ｉは、後方に向かって高くなるように傾斜し、その下縁５３ｉには、スリット５３ｊ、スリット５３ｋ及びスリット５３ｌが前方から順に設けられている。同様に、フック部５３ｃの下縁５３ｍは、後方に向かって高くなるように傾斜し、その下縁５３ｍには、スリット５３ｎ、スリット５３ｏ及びスリット５３ｐが前方から順に設けられている。また、フック部５３ｂには、２つのネジ孔５３ｑが形成されている。
【００５６】
ストッパー金具５４は、図１３に示すように、取付金具５２のフック部５２ｂ又は取付金具５３のフック部５３ｂにネジ止めされるネジ止め部５４ａと、ネジ止め部５４ａの下方に設けられた胴部５４ｂと、胴部５４ｂの下部前方に設けられた鈎部５４ｃとを有する。ネジ止め部５４ａには、ストッパー金具５４が後述のように取付金具５２又は取付金具５３にネジ止めされてフレーム５１に組み付けられた際に、フック部５２ｂの下縁５２ｉ及びフック部５３ｂの下縁５３ｉと同様に傾斜する長孔５４ｄが形成され、胴部５４ｂと鈎部５４ｃとの間には、スリット５４ｅが形成されている。
【００５７】
支持金具５０によりテレビＴを支持する場合には、まず、取付金具５２の当接面部５２ａ及び取付金具５３の当接面部５３ａをテレビＴの背面に当接させ、テレビＴの背面に設けられた図示を略すネジ孔に丸孔５２ｆ及び丸孔５３ｆを重ね合わせる。そして、図示を略すネジを丸孔５２ｆ、丸孔５３ｆに挿通させ、そのテレビＴの背面のネジ孔に螺合させることにより、テレビＴに取付金具５２及び取付金具５３を取り付ける。
【００５８】
なお、取付金具５２及び取付金具５３の左右は、テレビＴの大きさ等に合わせて配置すればよく、例えばテレビＴの背面の左右に設けられたネジ孔の間隔が１０ｃｍ、３０ｃｍ、４０ｃｍの場合には取付金具５２を左、取付金具５３を右に取り付け、２０ｃｍの場合には取付金具５２を右、取付金具５３を左に取り付けることにより、取付金具５２及び取付金具５３の支柱３０，３０との干渉等を避けることが可能となる。
【００５９】
次に、取付金具５２のフック部５２ｂ及び取付金具５３のフック部５３ｂを、支柱３０，３０に取り付けられたフレーム５１の被係止部５５ａに係止させ、フック部５２ｃ及びフック部５３ｃを、そのフレーム５１の被係止部５６ａに係止させる。
【００６０】
詳細には、テレビＴの背面が凹凸の少ないフラットな場合には、フック部５２ｂの前方のスリット５２ｊを被係止部５５ａのスリット５５ｄに上方から係止させ、フック部５２ｃの前方のスリット５２ｎを被係止部５６ａに上方から係止させ、フック部５３ｂの前方のスリット５３ｊを被係止部５５ａのスリット５５ｄに上方から係止させ、フック部５３ｃの前方のスリット５３ｎを被係止部５６ａに上方から係止させる。
【００６１】
一方、テレビＴの背面に出っ張りがある場合や、配線の干渉を避ける場合には、フック部５２ｂの中央のスリット５２ｋ又は後方のスリット５２ｌを被係止部５５ａのスリット５５ｄに上方から係止させ、フック部５２ｃの中央のスリット５２ｏ又は後方のスリット５２ｐを被係止部５６ａに上方から係止させ、フック部５３ｂの中央のスリット５３ｋ又は後方のスリット５３ｌを被係止部５５ａのスリット５５ｄに上方から係止させ、フック部５３ｃの中央のスリット５３ｏ又は後方のスリット５３ｐを被係止部５６ａに上方から係止させればよい。
【００６２】
続いて、ストッパー金具５４を、被係止金具５５の被連結部５５ｂがスリット５４ｅに入り込んで鈎部５４ｃが被連結部５５ｂに係合するように、かつ、ネジ止め部５４ａの長孔５４ｄがフック部５２ｂのネジ孔５２ｑ又はフック部５３ｂのネジ孔５３ｑに重なるように位置させた上で、図１４に示すように、長孔５４ｄを挿通するネジ５８によりフック部５２ｂ又はフック部５３ｂに締結する。これにより、テレビＴの支持金具５０への取付け（テレビ台１０への取付け）が完了する。
【００６３】
ところで、フック部５２ｂ又はフック部５３ｂのスリット５５ｄに係止するスリットが、スリット５２ｊからスリット５２ｋ、スリット５２ｌ又はスリット５３ｊからスリット５３ｋ、スリット５３ｌと後ろになるにつれ、被係止金具５５に対するフック部５２ｂ又はフック部５３ｂの相対的な位置は下縁５２ｉ又は下縁５３ｉに沿って前方に下がっていくが、前述のとおり、長孔５４ｄが、下縁５２ｉ及び下縁５３ｉと同様に傾斜しているので、フック部５２ｂ又はフック部５３ｂのどのスリットがスリット５５ｄに係止しても、長孔５４ｄとネジ孔５２ｑ又はネジ孔５３ｑとの重なり合いは保たれ、長孔５４ｄはネジ５８の締結に供する。
【００６４】
ホルダー６０は、金属板を曲げ加工してなり、図１５に示すように、底面部６１と、底面部６１の前縁から上方に延在する前面部６２と、底面部６１の後縁から前面部６２よりも低くなるように上方に延在する後面部６３と、前面部６２の上縁から前方、そして下方に延在し、側面視略Ｕ字状を呈する係止部６４とを備える。
【００６５】
底面部６１には複数の通気孔６１ａが、前面部６２には複数の通気孔６２ａが、後面部６３には複数の通気孔６３ａがそれぞれ形成されており、ハードディスクドライブ等の電子機器Ｈは、前面部６２及び後面部６３の対向空間で底面部６１上に保持され、その配線は対向空間の開放された側方、すなわち、開口部６５，６５に取り回すことができる。
【００６６】
前面部６２には、通気孔６２ａの上方にネジ孔６２ｂ，６２ｂが形成され、その下縁には、下方に突出する取付片６６が前面部６２に連続して設けられ、取付片６６には、挿通孔６６ａが形成されている。
【００６７】
このホルダー６０は、図１６に示すように、挿通孔６６ａを挿通するネジ６７が被係止金具５５のネジ孔５５ｅに螺合し、底面部６１が上部支柱３２，３２の上面３２ｇ，３２ｇに載置されることにより、フレーム５１に取り付けられる。あるいは、図１７に示すように、係止部６４を被係止金具５５の被係止部５５ａに係止させ、ネジ孔６２ｂ，６２ｂにネジ６７，６７を螺合させてその先端を被被係止部５５ａに当接させることにより、フレーム５１に取り付けられてもよい。
【００６８】
テレビ台１０において、支持金具５０の高さを最も下げた場合には、上部支柱３２，３２の背面３２ａ，３２ａに固着された桟３８の固着部３８ａ，３８ａが下部支柱３１，３１に干渉するまで（下部支柱３１，３１の背面３１ａ，３１ａの上端に当たる直前まで）上部支部３２，３２が下部支柱３１，３１に嵌入し、図１８に示すように、下部飾り板７０は、上部飾り板８０により完全に覆われる。また、上部支柱３２，３２は、上部飾り板８０及びテレビＴに隠れて正面側から見えなくなっているから、ベース２０とテレビＴとの間には、上部飾り板８０だけがあるように見える。
【００６９】
一方、テレビ台１０において支持金具５０の高さを低位から高位に変更する場合には、下部支柱３１，３１に対して上部支部３２，３２を上方向にスライドさせ、支柱３０，３０を伸長させる。このとき、上部飾り板８０は上部支部３２，３２と一緒に上方向にスライドするから、上部飾り板８０の上縁８０ａの高さとテレビＴの下縁Ｔａの高さとの差分（０又は所定値ｈ）は変化せず、上部支柱３２，３２は、下部支柱３１，３１に対してどれだけ伸長しても、上部飾り板８０及びテレビＴに隠れたままである。
【００７０】
図１９に示すように、テレビ台１０において支持金具５０の高さを最も上げた場合には、下部飾り板７０が上部飾り板８０の下方に出現する。一方、上部支柱３２，３２は、上部飾り板８０及びテレビＴに隠れたままであるから、ベース２０とテレビＴとの間には、下部飾り板７０及び上部飾り板８０だけがあるように見える。
【００７１】
本実施の形態に係るテレビ台１０では、飾り板４０が、下部支柱３１，３１に取り付けられる下部飾り板７０及び上部支柱３２，３２に取り付けられる上部飾り板８０を備え、下部飾り板７０に対して上部飾り板８０がスライドすることにより伸縮可能に形成されているので、下部支柱３１，３１に対して上部支柱３２，３２がスライドする際に、上部飾り板８０を上部支柱３２，３２に追従させてスライドさせることができる。これにより、支柱３０，３０の伸長時に上部支柱３２，３２が飾り板４０の上方に突出して露出し、美観が損なわれることが防止され、支柱３０，３０の伸縮状態にかかわらず高い意匠性を保つことができる。
【００７２】
また、スペーサー９０により、下部飾り板７０と上部飾り板８０との間に間隙が確保されるので、下部飾り板７０に対して上部飾り板８０がスライドする際に両者の擦れにより生じる擦過痕を防止することができる。仮に、飾り板４０のスペーサー９０と擦れる部分に擦過痕が生じるとしても、スペーサー９０は下部飾り板７０の下部正面板７１の表面７１ａに設けられ、スペーサー９０と擦れるのは上部飾り板８０の上部正面板８１の裏面８１ｂであるので、そこに擦過痕が生じても、それが外観上表れず、飾り板４０の美観が維持される。
【００７３】
さらに、上部飾り板８０の上部正面板８１、上部側面板８２，８２、上部背面板８３，８３がそれぞれ下部飾り板７０の下部正面板７１、下部側面板７２，７２、下部背面板７３，７３に重畳することにより、上部飾り板８０は下部飾り板７０に四方で重畳するので、下部飾り板７０に対してがたつきが抑制されつつ安定してスライドする。
【００７４】
本実施の形態では、下部飾り板７０が高さ方向の二箇所（係止部７５，７５及び係止部７６，７６）で下部支柱３１，３１に安定的に取り付けられ、上部飾り板８０は、その下部飾り板７０に対してがたつきが抑制されているので、上部飾り板８０は高さ方向の一箇所だけで上部支柱３２，３２に取り付けられているが、支柱３０，３０から離反してがたつくことが防止される一方、上部飾り板８０の上部支柱３２，３２への取付けが高さ方向の一箇所にとどまることにより、上部支柱３２，３２のスライド構造の設計の自由度を高めることができる。
【００７５】
そして、その上部飾り板８０の上部支柱３２，３２への取付けには、上部飾り板８０が上方から係止される連結部３８ｃと、連結部３８ｃと当接部３８ｂ，３８ｂを介して一体的に設けられ、連結部３８ｃよりも上方で上部支柱３２，３２に固着される固着部３８ａ，３８ａとを備える桟３８が用いられているので、固着部３８ａ，３８ａが下部支柱３１，３１に干渉するまで上部支柱３２，３２を下方向にスライドさせた場合に、連結部３８ｃが固着部３８ａ，３８ａよりも下方に位置する分だけ支持金具５０の高さ位置を下げることができ、支持金具５０の高さ位置の調整幅が大きくなっている。
【００７６】
なお、上記実施の形態では、スペーサー９０を下部飾り板７０の下部正面板７１の表面７１ａに貼着したが、例えば、上部飾り板８０の上部正面板８１の裏面８１ｂに固着してもよく、あるいは、下部側面板７２，７２と上部側面板８２，８２との間にスペーサーを設けてもよい。
【００７７】
［実施の形態２］
図２０及び図２１示すように、本実施の形態に係るクリーナースタンド２１０は、床面Ｆに設置されるベース２２０と、ベース２２０に立設された支柱２３０，２３０と、支柱２３０，２３０を正面側から覆う飾り板２４０と、支柱２３０，２３０の上部に飾り板２４０と一体に設けられ、スティック型のクリーナーＣＳを支持する支持部２５０と、支柱２３０，２３０に取り付けられ、クリーナーＣＳの付属品等を保持する保持棚２６０とを備える。クリーナースタンド２１０が壁に寄せて設置される場合には、保持棚２６０の後壁部２６０ａが壁に押し付けられることによりクリーナースタンド２１０が安定し、クリーナーＣＳの脱着時にクリーナースタンド２１０が揺れることが防止される。
【００７８】
ベース２２０は、平面視矩形状を呈し、床面Ｆに対して段差が小さくなるように薄い平板状を呈している。ベース２２０は、実施の形態１におけるベース２０と異なり、テレビＴよりも軽量なクリーナーＣＳの支持に供すればよいので、本実施の形態では、ベース２２０に梁部材等は設けられていない。
【００７９】
支柱２３０，２３０は、ベース２２０に立設される角筒状の下部支柱２３１，２３１と、下部支柱２３１，２３１の筒内に上方から嵌入され、下部支柱２３１，２３１に対して上下方向にスライドする上部支柱２３２，２３２とを備える。上部支柱２３２，２３２の下部支柱２３１，２３１に対するスライドにより、支柱２３０，２３０は伸縮可能となっている。
【００８０】
下部支柱２３１，２３１は、図２２に示すように、下端が連結板２３３で連結され、連結板２３３とともにベース２２０に固着されている。下部支柱２３１の背面２３１ａには、高さ方向に２つの挿通孔２３１ｂが設けられ、上部支柱２３２の背面２３２ａには、高さ方向に５つのネジ孔２３２ｂが設けられている。挿通孔２３１ｂとネジ孔２３２ｂとを重ね合わせ、座金３３及び挿通孔２３１ｂにネジ３４を挿通させ、このネジ３４をネジ孔２３２ｂに螺合させることにより、上部支柱２３２は下部支柱２３１に対して位置決め固定される。上部支柱２３２が下部支柱２３１に対して最も高い位置に位置決めされる場合には、図２３及び図２４に示すように、５つのネジ孔２３２ｂのうち下２つのネジ孔２３２ｂにネジ３４がネジ止めされ、上部支柱２３２が下部支柱２３１に対して最も低い位置に位置決めされる場合には、図２５及び図２６に示すように、５つのネジ孔２３２ｂのうち上２つのネジ孔２３２ｂにネジ３４がネジ止めされる。
【００８１】
なお、下部支柱２３１の背面２３１ａには、高さ方向に複数の係止孔２３１ｃが、上部支柱２３２の背面２３２ａには、高さ方向に複数の係止孔２３２ｃがそれぞれ設けられ、係止孔２３１ｃ及び係止孔２３２ｃには、例えば図２７に示すように、クリーナーＣＳの付属品等を保持する保持部２６１ａ〜２６１ｃが係止される。
【００８２】
下部支柱２３１，２３１の間には、角柱状の桟２３４及び桟２３５が架設され、上部支柱２３２，２３２の間には、角柱状の桟２３６及び桟２３７が架設され、飾り板２４０は、桟２３４、桟２３５、桟２３６及び桟２３７に固着されている。
【００８３】
すなわち、飾り板２４０は、下部飾り板２７０と、上部飾り板２８０とを備え、下部飾り板２７０は、桟２３４及び桟２３５に溶接されて下部支柱２３１，２３１の正面２３１ｄ，２３１ｄを覆う矩形状の下部正面板２７１と、下部正面板２７１の両側縁から平面視円弧状に湾曲して延在し、下部支柱２３１，２３１の外面２３１ｅ，２３１ｅを隙間をあけて覆う下部側面板２７２，２７２とを有する。下部飾り板２７０の表面２７０ａには、必要に応じて適宜の意匠が施され、その上部には、スペーサー２９０が貼着されている。
【００８４】
上部飾り板２８０は、桟２３６及び桟２３７に溶接されて上部支柱２３２，２３２の正面２３２ｄ，２３２ｄを隙間をあけて覆うとともに、下部正面板２７１に重畳する矩形状の上部正面板２８１と、上部正面板２８１の両側縁から平面視円弧状に湾曲して延在し、上部支柱２３２，２３２の外面２３２ｅ，２３２ｅを隙間をあけて覆うとともに、下部側面板２７２，２７２に重畳する上部側面板２８２，２８２とを有する。上部飾り板２８０の表面２８０ａには、必要に応じて適宜の意匠が施される。
【００８５】
飾り板２４０は、下部飾り板２７０の表面２７０ａがスペーサー２９０を介して上部飾り板２８０の裏面２８０ｂに対向するように、下部飾り板２７０及び上部飾り板２８０が重なり合った状態で（上部支柱２３２，２３２と上部飾り板２８０との間には隙間が設けられており（図２８参照）、下部飾り板２７０はその隙間に入り込んで上部飾り板２８０と重なり合う。）、下部飾り板２７０に対して上部飾り板２８０がスライドすることによって、伸縮可能となっている。
【００８６】
支持部２５０は、ここでは、上部飾り板２８０の上部に設けられた丸孔２５１及び丸孔２５２と、長孔２５３と、円形のケーブル挿通孔２５４とにより構成されている。丸孔２５１、丸孔２５２又は長孔２５３には、クリーナーＣＳの壁掛け及び充電に用いられるブラケットＢが図示を略すネジ及びナットによりネジ止めされ、ブラケットＢから延びるケーブルＣは、ケーブル挿通孔２５４を挿通して飾り板２４０の裏面側に配線され、その先端の図示を略すプラグがコンセントに差し込まれることにより、クリーナーＣＳの充電が可能となる。
【００８７】
本実施の形態に係るクリーナースタンド２１０では、飾り板２４０が、下部支柱２３１，２３１に取り付けられる下部飾り板２７０及び上部支柱２３２，２３２に取り付けられる上部飾り板２８０を備え、下部飾り板２７０に対して上部飾り板２８０がスライドすることにより伸縮可能に形成されているので、下部支柱２３１，２３１に対して上部支柱２３２，２３２がスライドする際に、上部飾り板２８０を上部支柱２３２，２３２に追従させてスライドさせることができる。これにより、支柱２３０，２３０の伸縮状態にかかわらず高い意匠性を保つことができる。
【００８８】
また、スペーサー２９０により、下部飾り板２７０と上部飾り板２８０との間に間隙が確保されるので、下部飾り板２７０に対して上部飾り板２８０がスライドする際に両者の擦れにより生じる擦過痕を防止することができる。仮に、飾り板２４０のスペーサー２９０と擦れる部分に擦過痕が生じるとしても、スペーサー２９０は下部飾り板２７０の表面２７０ａに設けられ、スペーサー９０と擦れるのは上部飾り板２８０の裏面２８０ｂであるので、そこに擦過痕が生じても、それが外観上表れず、飾り板２４０の美観が維持される。
【００８９】
さらに、上部飾り板２８０の上部正面板２８１、上部側面板２８２，２８２がそれぞれ下部飾り板２７０の下部正面板２７１、下部側面板２７２，２７２に重畳することにより、上部飾り板２８０は下部飾り板２７０に四方で重畳するので、下部飾り板２７０に対してがたつきが抑制されつつ安定してスライドする。
【００９０】
本実施の形態では、ベース２２０が床面Ｆに対して段差が小さくなるように薄い平板状を呈しているので、スティック型のクリーナーＣＳとは別に、ベース２２０に自走するロボット型のクリーナーＣＲを載置することができる（図２０及び図２１参照）。クリーナースタンド２１０において、上部支柱２３２，２３２、上部飾り板２８０及び支持部２５０の高さをどのようにするかは、スティック型のクリーナーＣＳを使用者が使用しやすい位置とすればよいが、ロボット型のクリーナーＣＲの背が高い場合には、スティック型のクリーナーＣＳがロボット型のクリーナーＣＲと干渉しない位置とすればよい。
【００９１】
以上、本発明の実施の形態について例示したが、本発明の実施形態は上述したものに限られず、発明の趣旨を逸脱しない範囲で適宜変更等してもよい。
【００９２】
例えば、テレビ台１０及びクリーナースタンド２１０においては、支柱を下部支柱と上部支柱に二分割したが、下部支柱と上部支柱を含む三つ以上に分割してもよい。
【００９３】
また、クリーナースタンド２１０においては、支持部２５０を上部飾り板２８０と一体に設けたが、支持部を飾り板と別体とし、上部支柱に直接的に又は部材を介して間接的に設けてもよい。
【００９４】
さらに、支持部による被支持物をテレビやクリーナーとせず、他の家電製品その他の物品としてもよい。
【符号の説明】
【００９５】
１０    テレビ台（支持台）
２０    ベース
３０    支柱
３１    下部支柱
３２    上部支柱
３８    桟（取付具）
３８ｃ  連結部（被係止部）
３８ｅ  固着部
４０    飾り板
５０    支持金具（支持部）
７０    下部飾り板
７１    下部正面板
７２    下部側面板
７３    下部背面版
８０    上部飾り板
８１    上部正面板
８２    上部側面板
８３    上部背面版
９０    スペーサー
２１０  クリーナースタンド（支持台）
２２０  ベース
２３０  支柱
２３１  下部支柱
２３２  上部支柱
２５０  支持部
２７０  下部飾り板
２７１  下部正面板
２７２  下部側面板
２８０  上部飾り板
２８１  上部正面板
２８２  上部側面板
２９０  スペーサー
Ｔ      テレビ（被支持物）
ＣＳ    クリーナー（被支持物）
【図１】
2020044575.tif 000003
【図２】
2020044575.tif 000004
【図３】
2020044575.tif 000005
【図４】
2020044575.tif 000006
【図５】
2020044575.tif 000007
【図６】
2020044575.tif 000008
【図７】
2020044575.tif 000009
【図８】
2020044575.tif 000010
【図９】
2020044575.tif 000011
【図１０】
2020044575.tif 000012
【図１１】
2020044575.tif 000013
【図１２】
2020044575.tif 000014
【図１３】
2020044575.tif 000015
【図１４】
2020044575.tif 000016
【図１５】
2020044575.tif 000017
【図１６】
2020044575.tif 000018
【図１７】
2020044575.tif 000019
【図１８】
2020044575.tif 000020
【図１９】
2020044575.tif 000021
【図２０】
2020044575.tif 000022
【図２１】
2020044575.tif 000023
【図２２】
2020044575.tif 000024
【図２３】
2020044575.tif 000025
【図２４】
2020044575.tif 000026
【図２５】
2020044575.tif 000027
【図２６】
2020044575.tif 000028
【図２７】
2020044575.tif 000029
【図２８】
2020044575.tif 000030
【図２９】
2020044575.tif 000031
【図３０】
2020044575.tif 000032
【図３１】
2020044575.tif 000033
【国際調査報告】
2020044575.tif 000034
2020044575.tif 000035
2020044575.tif 000036
2020044575.tif 000037